(57)【特許請求の範囲】
【請求項１】
正面に扉(2)が取り付けられ、左右側面並びに背面に側面パネル(3)及び背面パネル(4)が取り付けられた立方体状のサーバーラックであって、前記各パネル(3)，(4)がラックフレーム(1)に対して外部から着脱できるように組み付けられ、且つ組み付けられた状態においてラック内部でロック機構(5)により施錠できるように構成されており、該ロック機構(5)を施錠並びに解錠するための操作部(6)が扉を開放したラック前面側に配置されているサーバーラック。
【請求項２】
前記側面パネル(3)並びに背面パネル(4)がラックフレーム(1)に対してラッチ等の仮止め手段(7)により着脱自在に取り付けられている請求項１に記載のサーバーラック。
【請求項３】
前記ロック機構(5)が、前後方向にスライドできるようにラックフレーム(1)に保持されたスライド杆(51)と、該スライド杆(51)の摺動によって左右の側面パネル(3)並びに背面パネル(4)に設けた被係合部(31)，(41)に係合して側面パネル(3)並びに背面パネル(4)をロックする係合体(54)，(55)とからなり、前記操作部(6)がスライド杆(51)の先端部に設けられている請求項１又は２に記載のサーバーラック。
【請求項４】
前記ロック機構(5)が、扉(2)を開放したときに解錠位置に移動し、扉(2)を閉じたときに施錠位置に移動すべく構成されている請求項１乃至３に記載のサーバーラック。
【発明の詳細な説明】
【０００１】
【発明が属する技術分野】
本発明はメインコンピュータやメモリー機器等を収納するサーバーラックに関するものである。
【０００２】
【従来の技術】
近年、コンピュータの汎用化に伴って、一事業体における共有のデーター管理を大容量のメインコンピュータに集約させ、デスク上にある各自の出力装置でメインコンピュータのデーターを利用するシステムが多く採用されている。このメインコンピュータは通常メモリー機器と共に堅固なサーバーラックに収納され部外者が容易にタッチできないように遮断されている。
【０００３】
【発明が解決しようとする課題】
この従来のサーバーラックは、左右側面パネルや背面パネルがラックフレームに対して内部からビス等でネジ止めされているため、メンテナンスや配線操作の際に左右の側面パネルや背面パネルを取り外す作業が大変煩雑であった。殊にラック内部にはコンピュータ機器が収納されているため、これら機器が邪魔になってパネルの着脱作業が一層やっかいな作業となる。
【０００４】
そこで本発明は、左右の側面パネル並びに背面パネルをロック機構によってラック内部から集中ロックして外部から取り外すことができないように組成できるものでありながら、ラック前面側に設けた操作部でロック機構のロックを解除することにより側面パネル並びに背面パネルを外部から簡単に取り外すことができ、これによりラックに収納したコンピュータ機器のメンテナンスやコードの接続を容易に行うことができるサーバーラックを提供することを主たる目的とするものである。
【０００５】
【課題を解決するための手段】
上記目的を達成するために、本発明では次のような技術的手段を講じた。即ち本発明に係るサーバーラックにあっては、正面に扉２が取り付けられ、左右側面並びに背面に側面パネル３及び背面パネル４が取り付けられた立方体状のサーバーラックであって、前記各パネル３，４がラックフレーム１に対して外部から着脱できるように組み付けられ、且つ組み付けられた状態においてラック内部でロック機構５により施錠できるように構成されており、該ロック機構５を施錠並びに解錠するための操作部６が扉２を開放したラック前面側に配置されている構造とした。これにより、必要なときにロック機構５のロックを解除して外側から簡単に側面パネル３及び背面パネル４を取り外せることができ、サーバーラックに収納したコンピュータ機器のメンテナンスや配線の接続を行うことができる。
【０００６】
【発明の実施の形態】
前記側面パネル３並びに背面パネル４は、ラックフレーム１に対してラッチ等の仮止め手段７により着脱自在に取り付けるようにするのがよい。これにより、ロック機構５のロックを解除した場合でも各パネルの取付姿勢を確実に保持することができる。
【０００７】
前記ロック機構５は側面パネル３並びに背面パネル４をラック内部から施錠並びに解錠するものであればどのような機構でもよいが、例えば、前後方向にスライドするスライド杆５１と、該スライド杆５１の摺動によって左右の側面パネル３並びに背面パネル４に設けた被係合部３１，４１に係合して側面パネル３並びに背面パネル４をロックする係合体５４，５５とによって形成するのがよい。この場合、前記操作部６はスライド杆５１の先端に設けられる。
【０００８】
また前記ロック機構５は、扉２を開放したときに解錠位置に移動し、扉２を閉じたときに施錠位置に移動するように形成するのがよい。これにより扉２を開閉するだけで自動的に各パネルの施錠並びに解錠ができて便利である。
【０００９】
【実施例】
以下本発明の実施例を図面に基づき説明する。図１乃至図において、符号１はラックフレームであって、４隅の金属柱材１ａ…によって前面、左右側面並びに背面が開口された状態で立方体状に組成され、上面が天板１ｂにより閉ざされている。
【００１０】
上記ラックフレーム１の正面に扉２が枢軸２ａを介して開閉自在に取り付けられ、錠２ｂにより施錠できるように形成されている。またラックフレーム１の左右側面並びに背面に側面パネル３，３及び背面パネル４がラッチ等の仮止め手段７により外部から着脱できるように取り付けられている。本実施例で示した仮止め手段７は弾力的に突出するラッチ体７ａがラックフレーム１側に形成した係合段部７ｃに係合してワンタッチで各パネル３，４を取り付けることができるように形成されている。また各パネル３，４の外表面に前記ラッチ体７ａを後退させるつまみ７ｂが設けられており、このつまみ７ｂを操作してラッチ体７ａを後退させることにより各パネル３，４を外部から取り外すことができるようになっている。
【００１１】
また、側面パネル３，３及び背面パネル４がラックフレーム１に組み付けられた状態において、ラック内部から施錠するロック機構５がラックフレーム１の内部に設けられており、このロック機構５を施錠並びに解錠するための操作部６が扉２を開放したラック前面側に配置されている。該ロック機構５は側面パネル３並びに背面パネル４をラック内部から施錠並びに解錠するものであればどのような機構でもよいが、本実施例では図２〜図４に示すように、先端部に操作部６を有する左右一対のスライド杆５１がラックフレーム１に支持されたローラー状のガイド５２にそってラック前後方向に摺動できるように形成されている。該スライド杆５１は常時スプリング５３によって先端の操作部６が扉側に若干弾力的に突出した姿勢に保持されていて、扉２を閉じると扉圧によって押し込まれるように形成されている。このスライド杆５１が押し込まれた時にスライド杆５１の中間部に取り付けたピン状の係合体５４が左右の側面パネル３，３に設けた被係合部３１に係合すると同時に、スライド杆５１の後端部に設けた係合体５５が背面パネル４のラッチ体７ａに設けた穴状の被係合部４１に係合してラッチ体７ａの後退を許さないようにロックする構造となっている。これにより側面パネル３，３並びに背面パネル４はラック内部から施錠されて外部から取り外すことができない。また扉２を開放して前記スライド杆５１が前方に移動したとき、即ち解錠位置に移動したときは前記係合体５４，５５が被係合部３１，４１から遊離してロックが解除するように形成されている。
【００１２】
上記の如く構成されたサーバーラックはメインコンピュータ等を収納した状態で扉２を閉じ、錠２ｂに鍵を掛けて管理する。この状態においては左右の側面パネル３や背面パネル４はロック機構５によってラック内部から集中ロックされ外部から取り外すことはできない。而してラックに収納されたコンピュータ機器のメンテナンスやコード接続等の作業を行う場合は、扉２をあけることにより扉圧が解除されてスプリング５３によりロック機構５のスライド杆５１が図に示すように前方の解錠位置に移動して係合体５４，５５が被係合部３１，４１から遊離してロックが解除され、これにより側面パネル３，３並びに背面パネル４を外部から簡単に取り外すことができるものである。
【００１３】
上記実施例において、ロック機構５のスライド杆５１が扉を閉めたときに扉圧によって施錠位置に自動的に押し込まれるようにしたが、操作部６を手で操作して施錠位置並びに解錠位置に移動するように形成してもよい。
【００１４】
以上本発明の代表的な実施例について説明したが、本発明は必ずしも上記実施例構造のみに限定されるものではない。例えば上記した各パネル３，４の仮止め手段７は各パネルをラックフレーム１に対して外部から着脱自在に取り付けられる機構であればどのようなものであってもよい。またロック機構５も各パネル３，４をラック内部から集中ロックでき、且つ扉２を開放した前面側から施錠並びに解錠できる機構であればどのようなものであってもよい。その他本発明ではその構成要件を備え、且つ効果を有する範囲内で適宜変更して実施できることは勿論である。
【００１５】
【発明の効果】
本発明は上記のごとく構成したものであるから、左右の側面パネル並びに背面パネルはロック機構によってラック内部から集中ロックされ、外部から取り外すことができないように組成できるものでありながら、扉を開けた時のラック前面側に設けた操作部でロック機構のロックを解除することにより、側面パネル並びに背面パネルを外部から簡単に取り外すことができ、これによりラックに収納したコンピュータ機器のメンテナンスやコードの接続を容易に行うことができる。また本発明では請求項４の構成とすることにより、扉を開放すれば自動的にロック機構のロックが解除されるので各パネルの取り外し作業が一層容易となると共に、扉を閉めることにより自動的に各パネルを集中ロックすることができるといった優れた効果がある。
【図面の簡単な説明】
【図１】本発明に係るサーバーラックの分解斜視図。
【図２】上記サーバーラックにおけるロック機構部分の一部断面平面図であって、施錠状態を示す。
【図３】上記ロック機構の一部を示す拡大断面図。
【図４】上記ロック機構の解錠姿勢を示す平面図。
【符号の説明】
１  ラックフレーム
２  扉
３  側面パネル
４  背面パネル
５  ロック機構
６  操作部
７  仮止め手段
３１  被係合部
４１  被係合部
５１  スライド杆
５４  係合体
５５  係合体
【図１】
0003657883.tif 000002
【図２】
0003657883.tif 000003
【図３】
0003657883.tif 000004
【図４】
0003657883.tif 000005